(57)【要約】【課題】  印刷版及び保護シートが交互に複数枚積層されて構成された積層束から印刷版及び保護シートを１組ずつ取り出して次工程へ順次供給する際に生じる搬送不良を防止できる印刷版供給方法を得る。【解決手段】  積層束Ｂを複数回に分けて載置積層し構成した場合、その積層束Ｂの最上位に位置する積層束Ｂ２の最上層に配置されたＰＳ版Ｐ（ＰＳ版Ｐ７）にピックアップローラ５２を圧接させつつ回転駆動させることにより、ＰＳ版Ｐ及び合紙Ｓを１組ずつ、積層方向と略直交する方向へ取り出して次工程へ順次供給する際に、Ｚ＝（ΔＫ）Ｍａｘ−ｍｐ（Ｖｅ−Ｖｓ）／ｔで表される式の解Ｚが負の値となる条件の基で、取り出すＰＳ版Ｐが加速されるようピックアップローラ５２の回転速度を制御する。【選択図】    図５
2005271505.tif 000002
【特許請求の範囲】
【請求項１】
印刷面を上方に向けて配置された印刷版及びその印刷版の前記印刷面を保護する保護シートが交互に複数枚積層されて構成された積層束から、その積層束の最上層に配置された印刷版にローラを圧接させつつ回転駆動させることにより、その印刷版及び印刷版の下側に隣接配置された前記保護シートを１組ずつ、積層方向と略直交する方向へ取り出して次工程へ順次供給する印刷版供給方法であって、
前記積層束を複数回に分けて載置積層し構成した場合の前記印刷版の取り出しでは、
前記印刷版の質量をｍｐ、
前記積層束から取り出す前記印刷版の初速をＶｓ、
前記積層束から取り出す前記印刷版の終速をＶｅ、
前記積層束から取り出す前記印刷版の加速時間をｔ、
前記積層束の最上位に位置する第１積層束の最下層に配置された第１保護シートの下面、及び、前記第１積層束の下側に隣接配置された第２積層束の最上層に配置された第１印刷版の印刷面の間の摩擦抵抗と、前記第１積層束の最上層に配置された第２印刷版の下側に隣接配置された第２保護シートの下面、及び、その第２保護シートの下側に隣接配置された第３印刷版の印刷面の間の摩擦抵抗の最大差を（ΔＫ）Ｍａｘ、としたときに、
Ｚ＝（ΔＫ）Ｍａｘ−ｍｐ（Ｖｅ−Ｖｓ）／ｔ
で表される上記式の解Ｚが負の値となる条件の基で、取り出す印刷版が加速されるよう前記ローラの回転速度を制御することを特徴とする印刷版供給方法。
【請求項２】
印刷面を上方に向けて配置された印刷版及びその印刷版の前記印刷面を保護する保護シートが交互に複数枚積層されて構成された積層束から、その積層束の最上層に配置された印刷版又は前記保護シートにローラを圧接させつつ回転駆動させることにより、その印刷版又は保護シートを単独で１枚ずつ、又は、印刷版及び印刷版の下側に隣接配置された保護シートを１組ずつ、積層方向と略直交する方向へ取り出して次工程へ順次供給する印刷版供給方法であって、
前記積層束から前記印刷版を単独で１枚、又は、前記印刷版及び前記保護シート１組取り出す切り替えは、
前記印刷版の質量をｍｐ、
前記保護シートの質量をｍｉ、
前記ローラの圧接力をＷ、
前記積層束の最上層に配置された第４印刷版の非印刷面、及び、その第４印刷版の下側に隣接配置された第３保護シートの上面の間の摩擦係数をμＢ、
前記第３保護シートの下面、及び、その第３保護シートの下側に隣接配置された第５印刷版の印刷面の間の摩擦係数をμＥ、
前記第４印刷版の非印刷面、及び、前記第３保護シートの上面の間の摩擦抵抗と、前記第３保護シートの下面、及び、前記第５印刷版の印刷面の間の摩擦抵抗の差をΔＹ、としたときに、
ΔＹ＝μＢ（Ｗ＋ｍｐ）−μＥ（Ｗ＋ｍｐ＋ｍｉ）
で表される上記式のΔＹが正の値、又は、負の値となるよう前記ローラの圧接力を制御することにより行うことを特徴とする印刷版供給方法。
【請求項３】
前記積層束から前記印刷版を単独で１枚、又は、前記印刷版及び前記保護シート１組取り出す切り替えは、
前記ΔＹが正の値となるよう前記ローラの圧接力を設定し、且つ、
前記積層束から取り出す前記印刷版の初速をＶｓ、
前記積層束から取り出す前記印刷版の終速をＶｅ、
前記積層束から取り出す前記印刷版の加速時間をｔ、としたときに、
Ｚ＝（ΔＹ）−ｍｉ（Ｖｅ−Ｖｓ）／ｔ
で表される上記式の解Ｚが正の値、又は、負の値となる条件の基で、取り出す印刷版が加速されるよう前記ローラの回転速度を制御することにより行うことを特徴とする請求項２記載の印刷版供給方法。
【発明の詳細な説明】
【技術分野】
【０００１】
本発明は、印刷版供給方法に関し、詳細には、印刷版が複数枚積層されて構成された積層束から、その積層束の最上層に配置された印刷版を取り出して次工程へ順次供給する印刷版供給方法に関する。
【背景技術】
【０００２】
サーマル版やフォトポリマー版、ＰＳ（Presensitized Plate）版等の印刷版では、複数枚の印刷版を積層状態で収納するカセット型の収納部を備えた印刷版供給装置を用い、この印刷版供給装置から印刷版露光装置へ印刷版を順次供給する供給形態が採られている。
【０００３】
例えば、ＰＳ版をこのような印刷版供給装置（ＰＳ版供給装置）の収容部に収納する場合には、図６に示されるように、ＰＳ版Ｐは、感光層が設けられた印刷面ＰＥを保護する保護シートとしての合紙Ｓと交互に積層された状態で、ＰＳ版供給装置２００の収納部（カセット）２０２に装填され、収納部２０２内に設けられた載置板２０４上に載置されて収納される。また、この収納部２０２には、版厚によって最大６０〜１２０枚のＰＳ版Ｐが収納可能とされているが（０．３ｍｍ厚及び０．２４ｍｍ厚のＰＳ版では６０枚、０．２ｍｍ厚のＰＳ版では１００枚、０．１５ｍｍ厚のＰＳ版では１２０枚）、通常は、作業者が無理せずに持ち上げられる３〜５０枚程度のＰＳ版Ｐの束（積層束Ｂ）にして複数回に分けて装填・補充作業を行っている。
【０００４】
図６の例では、１回目に、４枚のＰＳ版Ｐ１〜Ｐ４及びＰＳ版Ｐ１〜Ｐ４の各間に３枚の合紙Ｓ２〜Ｓ４を介在させて積層束Ｂ１を形成し、載置板２０４上に載置して収納部２０２に装填・収納し、２回目に、３枚のＰＳ版Ｐ５〜Ｐ７及びＰＳ版Ｐ５〜Ｐ７の各間に２枚の合紙Ｓ６、Ｓ７を介在させて積層束Ｂ２を形成し、積層束Ｂ１上に載置して収納部２０２に装填・収納している。
【０００５】
そして、ＰＳ版Ｐ（積層束Ｂ）を収納したＰＳ版供給装置２００の収納部２０２を印刷版露光装置の所定位置にセットすると、例えば、印刷版露光装置側に設けられたピックアップローラ２０６が積層束Ｂの最上層に配置されたＰＳ版Ｐ７に接触し、ＰＳ版供給時には、ピックアップローラ２０６が回転駆動してＰＳ版Ｐ７を合紙Ｓ７と１組にして下層側のＰＳ版の積層束から分離し取り出す。この収納部２０２内から取り出されたＰＳ版Ｐ７及び合紙Ｓ７は、搬送途中で合紙分離装置等によりＰＳ版Ｐ７から合紙Ｓ７が分離され、ＰＳ版Ｐ７のみが印刷版露光装置の露光位置へ供給される。これらの動作を繰り返すことにより、ＰＳ版供給装置２００の収納部２０２に収納された積層束Ｂ（Ｂ１、Ｂ２）から、最上層のＰＳ版Ｐが順次取り出されて（ＰＳ版Ｐ７、ＰＳ版Ｐ６、ＰＳ版Ｐ５、・・・・・・）、印刷版露光装置へ供給される。
【発明の開示】
【発明が解決しようとする課題】
【０００６】
しかしながら、上記のＰＳ版供給装置２００を用いたＰＳ版Ｐの供給形態では、収納部２０２に先に収納された積層束Ｂ１の最上層に配置されたＰＳ版Ｐ４と、後から積層束Ｂ１上に載置されて継ぎ足された積層束Ｂ２の最下層に配置されたＰＳ版Ｐ５との間に、空気が入り込んで空気層Ａが形成されるため、ＰＳ版Ｐ４とＰＳ版Ｐ５との間での摩擦力が低下してしまう。例えば図６の積層束Ｂ１、Ｂ２の場合では、各ＰＳ版間（ＰＳ版Ｐと合紙Ｓ）の摩擦力の関係は、｛ＰＳ版Ｐ４とＰＳ版Ｐ５の摩擦力｝≪｛ＰＳ版Ｐ３と合紙Ｓ４（ＰＳ版４）の摩擦力｝≒｛ＰＳ版Ｐ５と合紙Ｓ６（ＰＳ版Ｐ６）の摩擦力｝≒｛ＰＳ版Ｐ６と合紙Ｓ７（ＰＳ版Ｐ７）の摩擦力｝となる。ただし、摩擦力（Ｆ）＝接触面に垂直な抗力の大きさ（ここではほぼＰＳ版Ｐの質量×枚数）（Ｗ）×摩擦係数（μ）であるため、厳密には、ＰＳ版Ｐの積層枚数分の質量が加算される下層側に配置されたＰＳ版Ｐ間の摩擦力の方が、上層側に配置されたＰＳ版Ｐ間の摩擦力よりも少し大きくなる。
【０００７】
そのため、積層束Ｂ２からＰＳ版Ｐが順次取り出される際に、図６に示すように、ＰＳ版Ｐ５とそれよりも上層のＰＳ版Ｐ及び合紙Ｓとが一度に複数枚取り出されて搬送される所謂「多重送」の現象が発生して、搬送不良を引き起こす問題がある。この多重送は、ＰＳ版の枚数を５枚以上などと多くした積層束を継ぎ足した場合には、その継ぎ足された積層束のＰＳ版の残り枚数が少なくなるにつれて全重量が軽くなり、上記の空気層による摩擦力低下の影響が次第に大きくなって発生しやすくなる。また、積層束の継ぎ足しを複数回行った場合には、積層束の各間に空気が入り込むため、空気層の介在箇所が増えて多重送を発生させる箇所が増加するようになる。
【０００８】
一方、上記のような積層束からのＰＳ版の供給では、ＰＳ版及び合紙を１組ずつ取り出して次工程へ順次供給する他に、ＰＳ版又は合紙を単独で１枚ずつ取り出して供給することもあるため、それらの搬送状態の切り替えを確実且つ簡単に行うことが望まれる。
【０００９】
本発明は上記事実を考慮して、印刷版及び保護シートが交互に複数枚積層されて構成された積層束から、その積層束の最上層に配置された印刷版及びその下側に隣接配置された保護シートを１組ずつ取り出して次工程へ順次供給する際に生じる搬送不良を防止できる印刷版供給方法を提供することを課題とする。また、印刷版及び保護シートが交互に複数枚積層されて構成された積層束から、その積層束の最上層に配置された印刷版又は保護シートを単独で１枚ずつ、又は、印刷版及びその下側に隣接配置された保護シートを１組ずつ取り出して次工程へ順次供給する際の切り替えを確実且つ簡単に行うことができる印刷版供給方法を提供することを課題とする。
【課題を解決するための手段】
【００１０】
上記目的を達成するために請求項１に記載の発明は、印刷面を上方に向けて配置された印刷版及びその印刷版の前記印刷面を保護する保護シートが交互に複数枚積層されて構成された積層束から、その積層束の最上層に配置された印刷版にローラを圧接させつつ回転駆動させることにより、その印刷版及び印刷版の下側に隣接配置された前記保護シートを１組ずつ、積層方向と略直交する方向へ取り出して次工程へ順次供給する印刷版供給方法であって、前記積層束を複数回に分けて載置積層し構成した場合の前記印刷版の取り出しでは、前記印刷版の質量をｍｐ、前記積層束から取り出す前記印刷版の初速をＶｓ、前記積層束から取り出す前記印刷版の終速をＶｅ、前記積層束から取り出す前記印刷版の加速時間をｔ、前記積層束の最上位に位置する第１積層束の最下層に配置された第１保護シートの下面、及び、前記第１積層束の下側に隣接配置された第２積層束の最上層に配置された第１印刷版の印刷面の間の摩擦抵抗と、前記第１積層束の最上層に配置された第２印刷版の下側に隣接配置された第２保護シートの下面、及び、その第２保護シートの下側に隣接配置された第３印刷版の印刷面の間の摩擦抵抗の最大差を（ΔＫ）Ｍａｘ、としたときに、Ｚ＝（ΔＫ）Ｍａｘ−ｍｐ（Ｖｅ−Ｖｓ）／ｔで表される上記式の解Ｚが負の値となる条件の基で、取り出す印刷版が加速されるよう前記ローラの回転速度を制御することを特徴としている。
【００１１】
請求項１に記載の発明では、積層束を複数回に分けて載置積層し構成した場合、その積層束の最上位に位置する第１積層束の最上層に配置された印刷版（第２印刷版）にローラを圧接させつつ回転駆動させることにより、その印刷版及び印刷版の下側に隣接配置された保護シート（第２保護シート）を１組ずつ、積層方向と略直交する方向へ取り出して次工程へ順次供給する際に、Ｚ＝（ΔＫ）Ｍａｘ−ｍｐ（Ｖｅ−Ｖｓ）／ｔで表される式の解Ｚが負の値となる条件の基で、取り出す印刷版が加速されるようローラの回転速度を制御する。これにより、印刷版及び保護シートが１組づつ取り出されるのに伴って、第１積層束を構成する複数枚の印刷版及び保護シートが第１積層束の下側に隣接配置された第２積層束から分離されて共に取り出される多重送の発生が抑えられ、搬送不良を防止できる。
【００１２】
請求項２に記載の発明は、印刷面を上方に向けて配置された印刷版及びその印刷版の前記印刷面を保護する保護シートが交互に複数枚積層されて構成された積層束から、その積層束の最上層に配置された印刷版又は前記保護シートにローラを圧接させつつ回転駆動させることにより、その印刷版又は保護シートを単独で１枚ずつ、又は、印刷版及び印刷版の下側に隣接配置された保護シートを１組ずつ、積層方向と略直交する方向へ取り出して次工程へ順次供給する印刷版供給方法であって、前記積層束から前記印刷版を単独で１枚、又は、前記印刷版及び前記保護シート１組取り出す切り替えは、前記印刷版の質量をｍｐ、前記保護シートの質量をｍｉ、前記ローラの圧接力をＷ、前記積層束の最上層に配置された第４印刷版の非印刷面、及び、その第４印刷版の下側に隣接配置された第３保護シートの上面の間の摩擦係数をμＢ、前記第３保護シートの下面、及び、その第３保護シートの下側に隣接配置された第５印刷版の印刷面の間の摩擦係数をμＥ、前記第４印刷版の非印刷面、及び、前記第３保護シートの上面の間の摩擦抵抗と、前記第３保護シートの下面、及び、前記第５印刷版の印刷面の間の摩擦抵抗の差をΔＹ、としたときに、ΔＹ＝μＢ（Ｗ＋ｍｐ）−μＥ（Ｗ＋ｍｐ＋ｍｉ）で表される上記式のΔＹが正の値、又は、負の値となるよう前記ローラの圧接力を制御することにより行うことを特徴としている。
【００１３】
請求項２に記載の発明では、積層束の最上層に配置された印刷版又は保護シートにローラを圧接させつつ回転駆動させることにより、積層束から印刷版又は保護シートを単独で１枚ずつ、又は、印刷版及び印刷版の下側に隣接配置された保護シートを１組ずつ、積層方向と略直交する方向へ取り出して次工程へ順次供給する際に、ΔＹ＝μＢ（Ｗ＋ｍｐ）−μＥ（Ｗ＋ｍｐ＋ｍｉ）で表される式のΔＹが正の値、又は、負の値となるようローラの圧接力を制御することにより、積層束から印刷版を単独で１枚、又は、印刷版及び保護シート１組取り出す切り替えが可能となる。
【００１４】
このような、ローラの圧接力を利用した搬送状態の切り替えであれば、ローラの圧接力を調整することによって搬送状態の切り替えを確実に行うことができ、また、搬送状態を切り替えるための複雑な機構等を別途設けることなく簡単に実施することができる。
【００１５】
請求項３に記載の発明は、請求項２記載の印刷版供給方法において、前記積層束から前記印刷版を単独で１枚、又は、前記印刷版及び前記保護シート１組取り出す切り替えは、前記ΔＹが正の値となるよう前記ローラの圧接力を設定し、且つ、前記積層束から取り出す前記印刷版の初速をＶｓ、前記積層束から取り出す前記印刷版の終速をＶｅ、前記積層束から取り出す前記印刷版の加速時間をｔ、としたときに、Ｚ＝（ΔＹ）−ｍｉ（Ｖｅ−Ｖｓ）／ｔで表される上記式の解Ｚが正の値、又は、負の値となる条件の基で、取り出す印刷版が加速されるよう前記ローラの回転速度を制御することにより行うことを特徴としている。
【００１６】
請求項３に記載の発明では、ΔＹ＝μＢ（Ｗ＋ｍｐ）−μＥ（Ｗ＋ｍｐ＋ｍｉ）で表される式のΔＹが正の値となるようローラの圧接力を設定し、且つ、Ｚ＝（ΔＹ）−ｍｉ（Ｖｅ−Ｖｓ）／ｔで表される式の解Ｚが正の値、又は、負の値となる条件の基で、取り出す印刷版が加速されるようローラの回転速度を制御することにより、積層束から印刷版を単独で１枚、又は、印刷版及び保護シート１組取り出す切り替えが可能となる。
【００１７】
このような、ローラの回転速度（取り出す印刷版の加速度）を利用した搬送状態の切り替えであれば、ローラの回転速度を調整することによって搬送状態の切り替えを確実に行うことができ、また、搬送状態を切り替えるための複雑な機構等を別途設けることなく簡単に実施することができる。
【発明の効果】
【００１８】
本発明の印刷版供給方法は上記方法としたので、印刷版及び保護シートが交互に複数枚積層されて構成された積層束から、その積層束の最上層に配置された印刷版及びその下側に隣接配置された保護シートを１組ずつ取り出して次工程へ順次供給する際に生じる搬送不良を防止できる。また、印刷版及び保護シートが交互に複数枚積層されて構成された積層束から、その積層束の最上層に配置された印刷版又は保護シートを単独で１枚ずつ、又は、印刷版及びその下側に隣接配置された保護シートを１組ずつ取り出して次工程へ順次供給する際の切り替えを確実且つ簡単に行うことができる。
【発明を実施するための最良の形態】
【００１９】
以下、本発明の実施形態に係る印刷版供給装置及び印刷版露光装置について図面を参照して説明する。
【００２０】
図１には、本発明の一実施形態に係る印刷版供給装置であるＰＳ版供給装置の全体構成が示されており、図２には、本実施形態のＰＳ版供給装置におけるカセット（収納部）及び印刷版露光装置の枚葉搬送部が、カセットに印刷版としてのＰＳ版が積層収納された状態で示されている。また、図３には、本実施形態のカセットにＰＳ版が積層収納された状態が示されている。
【００２１】
図３に示されるＰＳ版Ｐは、アルミニウムプレートからなる支持体の一面に感光層が塗布されて構成されており、この感光層を設けた面が印刷面ＰＥとされ、印刷面ＰＥの反対側の面（他面）がバック面ＰＢとされている。また、未使用状態のＰＳ版Ｐは、図３に示すように、印刷面ＰＥに、印刷面ＰＥを保護する保護シート（保護用紙）としての合紙Ｓが密着配置されており、ＰＳ版Ｐを後述するカセット１４に複数枚収納する場合には、印刷面ＰＥを上方に向けたＰＳ版Ｐ及び合紙Ｓが交互に厚み方向に積層された状態（積層束Ｂ）で収納される。
【００２２】
なお、図３に示されるＰＳ版Ｐ及び合紙Ｓからなる積層束Ｂは、ＰＳ版供給装置１０のカセット１４に１回で装填し収納したものであり、ここでは、７枚のＰＳ版Ｐ１〜Ｐ７及びＰＳ版Ｐ１〜Ｐ７の各間に６枚の合紙Ｓ２〜Ｓ７を介在させて積層束Ｂを形成し、カセット１４の載置板２０上に載置してカセット１４に装填・収納している。
【００２３】
図１に示されるＰＳ版供給装置１０は、カセット１４に収納した積層束Ｂから、ＰＳ版Ｐと合紙Ｓとが１組で取り出され、後述する合紙分離装置６６で合紙Ｓが分離されたＰＳ版Ｐを印刷版露光装置１５０のＰＳ版露光部１５１に搬送して供給するために使用される。以下、ＰＳ版Ｐの搬送方向を矢印Ｆで、これと直交する方向（カセット１４及びカセット１４に収納されたＰＳ版Ｐの幅方向）を矢印Ｗでそれぞれ示す。
【００２４】
図１に示されるように、ＰＳ版供給装置１０は、装置のベース部（脚部）を構成する支持台１２を備えており、この支持台１２上に、カセット１４が配設されている。支持台１２の下部には、高さ調整可能且つ固定可能なキャスター１６が（４個）取り付けられており、これらのキャスター１６によりＰＳ版供給装置１０は移動自在とされて、印刷版露光装置１５０の枚葉搬送部１５２に設けられたカセット装着部（カセット受入部）１５４等へカセット１４を着脱させることができる。また、図１に示されるように、カセット１４をカセット装着部１５４に装着すると、カセット１４の前部には、カセット装着部１５４の奥側に設けられた枚葉搬送機構１５６が配置される。
【００２５】
図２に示されるように、カセット１４は、扁平な四角形で上面側が開口した筐体状とされている。カセット１４内には、その底板部１４Ａ上に、収納したＰＳ版Ｐ（積層束Ｂ）が載置される載置板２０が配置されており、載置板２０は、後端側の基端部がカセット１４の底板部１４Ａに揺動可能に連結され、揺動端側（前端側）が上下動可能とされて通常は底板部１４Ａに近接した下限位置に配置されている。
【００２６】
また、カセット１４には、載置板２０の揺動端側（前端側）を上下方向に駆動するボールねじ機構等のアクチュエータ（図示省略）が設けられており、このアクチュエータは、上記のカセット装着部１５４にカセット１４が装着されていなければ載置板２０を下限位置へ移動させ（図２の矢印Ｄ方向／ＰＳ版補給可能位置）、カセット１４がカセット装着部１５４に装着されると、載置板２０に積載された積層束Ｂの最上層のＰＳ版Ｐがカセット１４内から搬出できる高さまで載置板２０を上昇させる（図２の矢印Ｕ方向／ＰＳ版供給可能位置）。
【００２７】
載置板２０の上面（ＰＳ版載置面）には、一対（２個）の側端ガイド板２２及び１個の後端ガイド板２４が設けられており、これら一対の側端ガイド板２２及び後端ガイド板２４に略囲まれて区画された領域（略凹状部）が、載置板２０上におけるＰＳ版収納領域２０Ａとされている。
【００２８】
側端ガイド板２２は、図示しないスライド機構によって矢印Ｗ方向にスライド可能とされており、カセット１４の使用時（ＰＳ版収納・供給時）には、収納するＰＳ版Ｐのサイズに合った適正位置にセットされ、載置板２０に載置された複数枚のＰＳ版Ｐ（積層束Ｂ）の側端に接して側端位置を揃え、幅方向を位置決めする。同様に、後端ガイド板２４も図示しないスライド機構によって矢印Ｆ方向及びその反対方向にスライド可能とされており、載置板２０に載置された複数枚のＰＳ版Ｐ（積層束Ｂ）の後端に接して後端位置を揃え、前後方向を位置決めする。これら一対の側端ガイド板２２及び後端ガイド板２４をスライドさせて位置を変えることにより、カセット１４は、複数サイズのＰＳ版の収納及び供給が可能とされている。
【００２９】
上記のように構成されたカセット１４には、図１に示されるように、カセット１４の上面側の開口を塞ぐ遮光カバー４０が着脱可能に取り付けられている。遮光カバー４０の上面には、遮光カバー４０をカセット１４に着脱する際の把持部となる取っ手４２が設けられており、この取っ手４２を掴んで遮光カバー４０をカセット１４に装着すると、カセット１４の上面側の開口が遮光カバー４０により塞がれて、カセット１４内は遮光される。
【００３０】
また、遮光カバー４０の前端部には、カセット１４内からＰＳ版Ｐを取り出して印刷版露光装置１５０へ供給するための開口部４４が設けられている。開口部４４は、遮光カバー４０の前端部にヒンジ４６を介して取り付けられたカバー蓋４８によって開閉されるようになっており、カバー蓋４８は、カセット１４がカセット装着部１５４に装着されていない場合は開口部４４を閉塞してカセット１４内を遮光し、カセット１４がカセット装着部１５４に装着されのに連動して、枚葉搬送部１５２内に設けられた図示しないカバー蓋開放機構により持ち上げられ、ヒンジ４６を中心に回動して開口部４４を開放し（図１参照）、カセット１４内からのＰＳ版Ｐの取り出しを可能とする。
【００３１】
この遮光カバー４０を装着したカセット１４を印刷版露光装置１５０のカセット装着部１５４に装着すると、カバー蓋４８の上方への回動によって開放された開口部４４（カセット１４の前部）には、図１及び図２に示されるように、枚葉搬送部１５２内に設けられた枚葉搬送機構１５６の一部が配置される。
【００３２】
枚葉搬送機構１５６は、カセット装着部１５４に装着されたカセット１４の前側上方に位置すると共に、カセット１４及びＰＳ版Ｐの幅方向に沿って掛け渡されたホルダー５０を備えている。ホルダー５０には、カセット１４に収納された積層束Ｂの前部上方に位置するように、ピックアップローラ５２が回転可能に取り付けられており、このピックアップローラ５２は、駆動モータ５４の駆動力が無端ベルト５６を介して伝達され、積層束Ｂの最上層に配置されたＰＳ版Ｐ又は合紙Ｓ（図３の例ではＰＳ版Ｐ）をカセット１４内から取り出して搬送する方向に回転駆動する。
【００３３】
ホルダー５０は、その幅方向両端で、且つ搬送方向下流側に設けられた一対の支軸５８が軸支されて支軸５８を中心に回動可能とされており、一側方に設けられた駆動モータ６０からの回動駆動力で、ピックアップローラ５２を積層束Ｂに接触させる搬送位置と、積層束Ｂから離間させた離間位置との間で回動する。
【００３４】
また、カセット１４の前側（搬送方向下流側）には、搬送方向に所定の間隔をあけて２枚のガイドプレート６２、６４が配設されている。ピックアップローラ５２によりカセット１４内から取り出されたＰＳ版Ｐは、これらのガイドプレート６２、６４に支持されつつ搬送される。
【００３５】
ガイドプレート６２、６４の間には、合紙分離装置６６が配置されている。合紙分離装置６６は、搬送方向に沿って順に配置された、搬送ローラユニット６８及びリタードローラユニット７０を備えている。これらはいずれも、幅方向に沿って掛け渡された回転可能なシャフト７２と、このシャフト７２に所定の間隔をあけて固定された複数のゴムローラ７４とで構成されている。これらの搬送ローラユニット６８及びリタードローラユニット７０は、駆動モータ７６からの駆動力を受けて回転すると、搬送ローラユニット６８のゴムローラ７４が図４に示される矢印Ｒ１方向に回転（順転）し、リタードローラユニット７０のゴムローラ７４が矢印Ｒ１と逆方向の矢印Ｒ２方向に回転（逆転）する。
【００３６】
リタードローラユニット７０は、その一端側に設けられた駆動ユニット７８により、搬送中の合紙Ｓに接触する接触位置（図４に実線で示す位置）と、合紙Ｓから離間する離間位置（図４に二点鎖線で示す位置）との間を移動（昇降）する。接触位置では、合紙Ｓへの接触状態でリタードローラユニット７０が逆転するので、合紙ＳをＰＳ版Ｐから分離できる。また、搬送ローラユニット６８のゴムローラ７４との間で合紙Ｓをニップできるように、リタードローラユニット７０のゴムローラ７４が搬送ローラユニット６８のゴムローラ７４に接触する。
【００３７】
搬送ローラユニット６８の上方には、ニップローラ８０が幅方向に沿って回転可能に掛け渡されている。ニップローラ８０はその自重によって、搬送ローラユニット６８のゴムローラ７４との間でＰＳ版Ｐ及び合紙Ｓをニップ可能に接触している。ニップした状態で、搬送ローラユニット６８のゴムローラ７４が矢印Ｒ１方向に回転すると、ＰＳ版Ｐ及び合紙Ｓが矢印Ｆ方向に搬送される。なお、図４から分かるように、ニップローラ８０とリタードローラユニット７０のゴムローラ７４との間には、ＰＳ版Ｐ及び合紙Ｓをニップしない程度の隙間が構成されている。
【００３８】
搬送ローラユニット６８及びリタードローラユニット７０の下方には、それぞれ合紙搬送ローラユニット８２Ａ、８２Ｂが配置されている。合紙搬送ローラユニット８２Ａ、８２Ｂも搬送ローラユニット６８やリタードローラユニット７０と同様にシャフト７２とゴムローラ７４とで構成されており、合紙搬送ローラユニット８２Ａ、８２Ｂのゴムローラ７４間で、合紙Ｓをニップすることができるようになっている。搬送ローラユニット６８のシャフト７２と合紙搬送ローラユニット８２Ａのシャフト７２とには無端状の駆動ベルト８４が巻き掛けられており、合紙搬送ローラユニット８２Ａが搬送ローラユニット６８と同期して同方向に回転する。同様に、リタードローラユニット７０のシャフト７２と合紙搬送ローラユニット８２Ｂのシャフト７２とにも駆動ベルト８４が巻き掛けられている。したがって、合紙搬送ローラユニット８２Ａ、８２Ｂのゴムローラ７４の間に合紙Ｓをニップした状態で回転することで、ニップされた合紙Ｓを下方へと搬送することができる。このとき、駆動ベルト８４によって合紙Ｓが案内される。また、図２に示されるように、合紙搬送ローラユニット８２Ａ、８２Ｂの下方には集積箱８６が設けられており、駆動ベルト８４によって案内され下方へ搬送された合紙Ｓは、この集積箱８６に集積される。
【００３９】
図４に示されるように、ホルダー５０には、ピックアップローラ５２よりも搬送方向上流側に、有／無センサ８８及び判別センサ９０が取り付けられいる。また、ガイドプレート６２にも、上流側から順に有／無センサ９２及び判別センサ９４が配置され、その上方には、図示しない保持部材によって、判別センサ９６が保持されている（図２参照）。さらに、ガイドプレート６４にも、上流側から順に有／無センサ９８及び判別センサ１００が設けられている。これらの有／無センサ８８、９２、９８では、ＰＳ版Ｐ又は合紙Ｓの有／無が検出され、判別センサ９０、９４、９６、１００では、搬送物がＰＳ版Ｐであるか合紙Ｓであるかを判別する。
【００４０】
搬送ローラユニット６８及びリタードローラユニット７０と、それぞれ対応する合紙搬送ローラユニット８２Ａ、８２Ｂとの間には、合紙検出センサ１０２が配置されており、合紙Ｓの通過を検出できるようになっている。
【００４１】
上記の有／無センサ８８、９２、９８、判別センサ９０、９４、９６、１００及び合紙検出センサ１０２による検出情報は、印刷版露光装置１５０の制御部１６０に送られ、制御部１６０は、この情報を基に、枚葉搬送部１５２における枚葉搬送機構１５６及び合紙分離装置６６の各部を制御する。
【００４２】
次に、上記の構成とされた印刷版露光装置１５０に、ＰＳ版供給装置１０を使用してＰＳ版Ｐを供給する際の動作を説明する。
【００４３】
先ず、ＰＳ版供給装置１０のカセット１４にＰＳ版Ｐ（積層束Ｂ）を収納してカセット１４に遮光カバー４０を装着し、その状態で、ＰＳ版供給装置１０を移動させカセット１４を印刷版露光装置１５０の枚葉搬送部１５２に設けられたカセット装着部１５４に装着する。このカセット装着に伴い、図１に示すように、カバー蓋４８が上方に回動し遮光カバー４０の開口部４４が開放されて、積層束Ｂの一部（前端部近傍）が露出する。
【００４４】
カセット装着が完了すると、印刷版露光装置１５０の制御部１６０により制御されて有／無センサ８８、９２、９８、判別センサ９０、９４、９６、１００、及び合紙検出センサ１０２が作動し、有／無センサ８８はカセット１４内のＰＳ版Ｐ又は合紙Ｓの存在を検出し、判別センサ９０はその種類を検出する。これらの検出情報に基づいて、制御部１６０は駆動モータ６０を駆動制御し、ホルダー５０を回動させて、図１及び図２に示すように、ピックアップローラ５２を積層束Ｂの最上層に配置されたＰＳ版Ｐの印刷面ＰＥに接触させる。
【００４５】
続いて、制御部１６０は、ＰＳ版ＰをＰＳ版露光部１５１へ供給する指令を受けると、駆動モータ７６を駆動制御してピックアップローラ５２を回転駆動させる。このピックアップローラ５２とＰＳ版Ｐの印刷面ＰＥとの摩擦により、最上層のＰＳ版Ｐとそのバック面ＰＢに密着配置された合紙Ｓに搬送力が作用し、これらのＰＳ版Ｐ及び合紙Ｓが１組で下層側のＰＳ版Ｐから分離し取り出され、矢印Ｆ方向へ搬送される（図３参照）。
【００４６】
ガイドプレート６２上を搬送されるＰＳ版Ｐ及び合紙Ｓが有／無センサ９２及び判別センサ９４、９６を通過すると、これらのセンサによる検出情報に基づいて、制御部１６０は駆動モータ７６及び駆動ユニット７８を駆動制御し、搬送ローラユニット６８を回転駆動させると共にリタードローラユニット７０を離間位置から上昇させて接触位置に配置する。
【００４７】
ピックアップローラ５２からの搬送力を受けてガイドプレート６２上を搬送されるＰＳ版Ｐ及び合紙Ｓが合紙分離装置６６に送り込まれると、搬送ローラユニット６８のゴムローラ７４及びニップローラ８０のゴムローラ７４によりニップされて搬送が継続され、接触位置に配置されたリタードローラユニット７０は、ゴムローラ７４を逆転させつつＰＳ版Ｐの下側に配置された合紙Ｓに接触させることで、ＰＳ版Ｐから合紙Ｓを分離する。
【００４８】
そして、ＰＳ版Ｐは、ガイドプレート６４側へ搬送され、有／無センサ９８及び判別センサ１００によって合紙Ｓが適切に分離されたことが検出されると、そのままガイドプレート６４上を搬送されて露光位置へと送られる。一方、合紙Ｓは、駆動ベルト８４に案内されつつ下方へ搬送されて、集積箱８６に集積される。また、このときに合紙検出センサ１０２が合紙Ｓの通過を検出すると、制御部１６０は駆動ユニット７８を駆動制御して、リタードローラユニット７０を下降させ離間位置に戻す。
【００４９】
なお、ここでは、ＰＳ版Ｐを合紙Ｓと１組でカセット１４内から取り出し搬送する場合を例に説明したが、積層束Ｂの構成などによっては、ＰＳ版Ｐのみ又は合紙Ｓのみを取り出す場合もある。その場合には、上述したように合紙分離装置６６によってＰＳ版Ｐから合紙Ｓを分離する必要はなく、ＰＳ版Ｐのみを取り出した場合には、ＰＳ版Ｐをそのまま搬送して露光位置へと送り、また、合紙Ｓのみを取り出した場合には、合紙Ｓを集積箱８６へと搬送すればよい。
【００５０】
次に、印刷版露光装置１５０に、ＰＳ版供給装置１０を使用してＰＳ版Ｐを供給する際の供給方法（枚葉搬送方法）の詳細について説明する。
【００５１】
本実施形態の印刷版露光装置１５０に対するＰＳ版Ｐ及び合紙Ｓの供給では、これらが一度に搬送される枚数よって「単送」、「重送」、「多重送」という３種類の搬送状態がある。
・単送：ＰＳ版が１枚のみ又は合紙が１枚のみ搬送される状態。
・重送：ＰＳ版１枚＋合紙１枚がセットで搬送される状態。
・多重送：（ＰＳ版１枚＋合紙１枚）×Ｎセットの複数枚で搬送される状態。
【００５２】
ただし、多重送が起きると、前述したように搬送不良が発生し装置にとって重大なトラブルを引き起こす場合があるため、本実施形態の印刷版露光装置１５０では、制御部１６０が枚葉搬送機構１５６のピックアップローラ５２の回転速度（回転角加速度及び加速時間）を制御して、ＰＳ版供給時（取出時）にＰＳ版の加速度を制御することにより、多重送を発生させないようにしている。さらに、この印刷版露光装置１５０では、制御部１６０が枚葉搬送機構１５６のピックアップローラ５２の回転速度及び圧接力（ローラ荷重）を制御して、ＰＳ版供給時にＰＳ版の加速度及びＰＳ版間の摩擦抵抗を制御することにより、単送／重送の切り替えを行っている。
【００５３】
制御の原理としては、最上層のＰＳ版Ｐをある加速度（慣性）で搬送したとき、そのＰＳ版Ｐの下側ある合紙Ｓ及びＰＳ版Ｐには上記加速度とは逆の慣性負荷（慣性力）が生じるが、これを利用したものである。
【００５４】
以下に、単送／重送／多重送を制御する具体的な方法を図５を用いて説明する。
【００５５】
なお、図５に示したＰＳ版Ｐ及び合紙Ｓからなる積層束Ｂは、カセット１４に２回に分けて装填され収納されており、ここでは、１回目に、４枚のＰＳ版Ｐ１〜Ｐ４及びＰＳ版Ｐ１〜Ｐ４の各間に３枚の合紙Ｓ２〜Ｓ４を介在させて積層束Ｂ１を形成し、カセット１４の載置板２０上に載置してカセット１４に装填・収納し、２回目に、３枚の合紙Ｓ５〜Ｓ７及び３枚のＰＳ版Ｐ５〜Ｐ７をそれぞれ交互に積に重ねて積層束Ｂ２を形成し、積層束Ｂ１上に載置してカセット１４に装填・収納している。
【００５６】
慣性力（Ｆｉ）は下記の（１）式により成立する。      
Ｆｉ＝ｍａ・・・・・・（１）
ｍ：質量  ａ：加速度
【００５７】
また、加速度（ａ）は下記の（２）式により成立する。      
ａ＝（Ｖｅ−Ｖｓ）／ｔ・・・・・・（２）
Ｖｓ：初速  Ｖｅ：終速  ｔ：加速時間
【００５８】
したがって、（１）、（２）式より下記の（３）式が導かれる。      
Ｆｉ＝ｍ（Ｖｅ−Ｖｓ）／ｔ・・・・・・（３）
【００５９】
この（３）式から分かるように、質量（ｍ）と速度差（Ｖｅ−Ｖｓ）が一定であれば加速時間（ｔ）によって慣性力（Ｆｉ）は決まる。また、加速時間（ｔ）と質量（ｍ）を一定にすれば速度差（Ｖｅ−Ｖｓ）によって慣性力（Ｆｉ）は決まる。この加速度（加速時間及び速度差）を利用して単送／重送／多重送の制御を行う。
【００６０】
通常、ＰＳ版Ｐと合紙Ｓの間の摩擦係数は下記のように設定されている。
【００６１】
ＰＳ版Ｐのバック面ＰＢと合紙Ｓの間（図５のＢＳ部）の摩擦係数：μＢ＝０．５２
ＰＳ版Ｐの印刷面ＰＥと合紙Ｓの間（図５のＥＳ部）の摩擦係数：μＥ＝０．４９
したがって、両摩擦係数の関係は（μＢ）＞（μＥ）となる。
【００６２】
（単送／重送の制御方法）
摩擦係数で摩擦抵抗を語れば下記の（４）、（５）式が得られる。
【００６３】
ＢＳ部の摩擦抵抗＝ＰＳ版Ｐのバック面ＰＢの摩擦係数（μＢ）×（Ｗ＋ｍｐ）・・・・・・（４）
ＢＥ部の摩擦抵抗＝ＰＳ版Ｐの印刷面ＰＥの摩擦係数（μＥ）×（Ｗ＋ｍｐ＋ｍｉ）・・・・・・（５）
Ｗ：ピックアップローラの圧接力  ｍｐ：ＰＳ版の質量  ｍｉ：合紙の質量
これら（４）、（５）式から分かるように、ＢＳ部とＥＳ部の摩擦抵抗の違いは摩擦係数の違い（（μＢ）−（μＥ））と合紙１枚分の質量（ｍｉ）である。ここで、ＢＳ部とＥＳ部を比較すると、ＢＳ部では（Ｗ＋ｍｐ）×（μＢ−μＥ）の摩擦抵抗が大きくなる成分があり、ＥＳ部では（ｍｉ×μＥ）の摩擦抵抗を増加させる成分がある。
【００６４】
ＢＳ部とＥＳ部の摩擦抵抗の差（ΔＹ）を数式で表すと、（４）、（５）式より
ΔＹ＝μＢ（Ｗ＋ｍｐ）−μＥ（Ｗ＋ｍｐ＋ｍｉ）・・・・・・（６）
となり、この（６）式で、（ΔＹ）がプラス（＋）の場合は重送となり、（ΔＹ）がマイナス（−）の場合は単送となる。よって、圧接力（Ｗ）を小さくすると単送傾向になり、圧接力（Ｗ）を大きくすると重送になり、圧接力（Ｗ）を変化させることによって単送／重送の制御が可能になる。
【００６５】
表１に、圧接力を変化させた場合のＰＳ版Ｐ及び合紙Ｓの搬送状態の変化（単送／重送）を例示する。この表１に示した例では、ＰＳ版の質量（ｍｐ）：１２０ｇ、合紙の質量（ｍｉ）：１５ｇ、ＢＳ部の摩擦係数（μＢ）：０．５２、ＢＥ部の摩擦係数（μＥ）：０．４９に設定しており、これらの条件では、圧接力が１．２２５Ｎを境に単送／重送が切り替わる。
【００６６】
【表１】
2005271505.tif 000003
また、重送となるように、（６）式での（ΔＹ）をプラス（＋）に選択し圧接力（Ｗ）を一定とした場合には、加速度を変化させることによって単送／重送の制御が可能になる。この場合、図５に示した積層束Ｂでは、ＢＳ部とＥＳ部の摩擦抵抗の差（ΔＹ）から合紙Ｓ７の慣性負荷（ｍｉ（Ｖｅ−Ｖｓ）／ｔ）を差し引いた値が重送の影響力（ΔＺ）となり、これを数式で表すと
Ｚ＝（ΔＹ）−ｍｉ（Ｖｅ−Ｖｓ）／ｔ・・・・・・（７）
となる。
【００６７】
この（７）式で、合紙Ｓ７の慣性負荷（ｍｉ（Ｖｅ−Ｖｓ）を小さくし、慣性負荷の影響が殆どない状態にした場合は（Ｚ）がプラス（＋）になり重送となる。また、合紙Ｓ７の慣性負荷（ｍｉ（Ｖｅ−Ｖｓ）を大きくし、（Ｚ）がマイナス（−）になるよう速度差を大きくする又は加速時間を短くすると単送となる。よって、加速度を変化させることによっても単送／重送の制御が可能になる。
【００６８】
表２に、加速度を変化させた場合のＰＳ版及び合紙の搬送状態の変化（単送／重送）を例示する。この表２に示した例では、ＢＳ部とＥＳ部の摩擦抵抗の差（ΔＹ）がプラス（＋）となるように圧接力（Ｗ）：３Ｎに設定しており（（ΔＹ）：５３．５ｍＮ、合紙の質量（ｍｉ）：１５ｇ、ＢＳ部の摩擦係数（μＢ）：０．５２、ＢＥ部の摩擦係数（μＥ）：０．４９に設定している。これらの条件では、速度差（Ｖｅ−Ｖｓ）：２００ｍｍ／ｓｅｃで一定とした場合に、加速時間（ｔ）：５６ｍｓｅｃを境に単送／重送が切り替わる。また、加速時間（ｔ）：４２ｍｓｅｃで一定とした場合に、速度差（Ｖｅ−Ｖｓ）：１５０ｍｍ／ｓｅｃを境に単送／重送が切り替わる。
【００６９】
【表２】
2005271505.tif 000004
（多重送／重送の制御方法）
多重送は、前述したように積層束の継ぎ足しを行った際に積層束間に空気が入り込み、図５に示した積層束Ｂの場合では、積層束Ｂ２の最下層に配置された合紙Ｓ５と積層束Ｂ１の最上層に配置されたＰＳ版Ｐ４の間（ＥＡ部）の摩擦抵抗が、積層束Ｂ２（積層束Ｂ）の最上層に配置されたＰＳ版Ｐ７と共に取り出される合紙Ｓ７とＰＳ版Ｐ６の間（ＥＳ部）の摩擦抵抗よりも低くなったときに発生する。つまり、ＥＳ部の摩擦抵抗＞ＥＡ部の摩擦抵抗、となったときに多重送が発生する。また、ＰＳ版Ｐと合紙Ｓの間の摩擦抵抗は、このような空気介在の有無によって、一般的には０．１Ｎ〜２Ｎの差が生じる。
【００７０】
これらＥＡ部とＥＳ部の摩擦抵抗の差（ΔＫ）を数式で表すと
（ΔＫ）＝ＥＡ部の摩擦抵抗−ＥＳ部の摩擦抵抗・・・・・・（８）
となり、この（８）式で、（ΔＫ）がマイナス（−）になると多重送が発生し、（ΔＫ）がプラス（＋）になると重送になる。
【００７１】
ここで、加速度を変化させることにより多重送から重送に切り替える方法を説明する。      
【００７２】
ＥＡ部とＥＳ部の摩擦抵抗の最大差（ΔＫ）Ｍａｘ−ＰＳ版Ｐ６の質量×加速度（ｍｐ（Ｖｅ−Ｖｓ）／ｔ）がマイナス（−）になるように、速度差（Ｖｅ−Ｖｓ）を大きくする又は加速時間（ｔ）を短くすると、多重送は発生しなくなり重送となる。これを数式で表すと
Ｚ＝（ΔＫ）Ｍａｘ−ｍｐ（Ｖｅ−Ｖｓ）／ｔ・・・・・・（９）
となり、この（９）式で、Ｚがプラス（＋）の場合は多重送となり、Ｚがマイナス（−）の場合は重送となる。よって、Ｚがマイナス（−）となるように、すなわち、（ΔＫ）Ｍａｘ＜ｍｐ（Ｖｅ−Ｖｓ）／ｔを満足するように、速度差（Ｖｅ−Ｖｓ）及び加速時間（ｔ）を設定することにより、多重送から重送に切り替えられるようになる。
【００７３】
表３に、加速度（加速時間、速度差）を変化させた場合のＰＳ版及び合紙の搬送状態の変化（多重送／重送）を例示する。この表３に示した例では、ＥＡ部とＥＳ部の摩擦抵抗の最大差（（ΔＫ）Ｍａｘ）：１．８Ｎに設定し、ＰＳ版の質量（ｍｐ）：１２０ｇに設定している。これらの条件において、加速時間の制御では、速度差（Ｖｅ−Ｖｓ）：２５０ｍｍ／ｓｅｃで一定とした場合に、加速時間（ｔ）：１７ｍｓｅｃを境に多重送／重送が切り替わる。したがって、加速時間を１７ｍｓｅｃよりも小さく設定すれば多重送の発生が抑えられる。また、速度差の制御では、加速時間（ｔ）：１３ｍｓｅｃで一定とした場合に、速度差（Ｖｅ−Ｖｓ）：１９５ｍｍ／ｓｅｃを境に多重送／重送が切り替わる。したがって、速度差を１９５ｍｍ／ｓｅｃよりも大きく設定すれば多重送の発生が抑えられる。
【００７４】
【表３】
2005271505.tif 000005
なお、図３に示した積層束Ｂのように、継ぎ足しをしていない積層束からＰＳ版を供給する場合のＰＳ版の搬送状態（挙動）については以下ようになる。
【００７５】
継ぎ足しをしていない積層束Ｂの場合、ＰＳ版Ｐと合紙Ｓの各組の間に基本的には空気の入り込こみがないため、ＰＳ版Ｐのバック面ＰＢと合紙Ｓの間の摩擦係数（μＢ）は各部で等しくなり、例えば図３の積層束Ｂであれば、合紙Ｓ７とＰＳ版Ｐ６の間となるＥＳ１部の摩擦抵抗、合紙Ｓ６とＰＳ版Ｐ５の間となるＥＳ２部の摩擦抵抗、合紙Ｓ５とＰＳ版Ｐ４の間となるＥＳ３部の摩擦抵抗は、下記式で表される。
【００７６】
ＥＳ１部の摩擦抵抗：（μＢ）×（Ｗ＋ｍｐ＋ｍｉ）
ＥＳ２部の摩擦抵抗：（μＢ）×（Ｗ＋２（ｍｐ＋ｍｉ））
ＥＳ３部の摩擦抵抗：（μＢ）×（Ｗ＋３（ｍｐ＋ｍｉ））
したがって、
ＥＳ１部の摩擦抵抗＜ＥＳ２部の摩擦抵抗＜ＥＳ３部の摩擦抵抗
の関係となり、この積層束ＢからのＰＳ版供給時には、ピックアップローラ５２の回転駆動により最上層のＰＳ版Ｐ及び隣接配置された合紙Ｓが１組取り出され、すなわち、重送され、これを繰り返すことにより、ＰＳ版Ｐ７＋合紙Ｓ７、ＰＳ版Ｐ６＋合紙Ｓ６、ＰＳ版Ｐ５＋合紙Ｓ５、のように重送が繰り返され、さらに下層側に配置されたＰＳ版Ｐ及び合紙Ｓも同様に重送されて印刷版露光装置１５０内に順次供給される。このように、通常は重送による供給が行われて多重送は発生しない。
【００７７】
なお、このときのピックアップローラ５２の圧接力（Ｗ）は、μＢ＞μＥの関係から、｛ＰＳ版Ｐのバック面ＰＢと合紙Ｓの間の摩擦抵抗＞ＰＳ版Ｐの印刷面ＰＥと合紙Ｓの間の摩擦抵抗｝の関係（単送を起こさない関係）が崩れない値に設定する。これによって、ＰＳ版Ｐのバック面ＰＢと合紙Ｓの間での分離は起こらず、上記の重送を行うことができる。
【００７８】
以上説明した単送／重送／多重送の制御方法に基づき、本実施形態の印刷版露光装置１５０では、通常の供給形態として用いられる重送による供給を行うための重送モード、及び、必要に応じて用いられる単送による供給を行うための単送モードが設けられており、これらのモードは、操作部１６２からの入力操作によって選択的に設定できるようになっている（図１参照）。
【００７９】
次に、本実施形態に係る印刷版露光装置１５０でのＰＳ版供給動作と作用について説明する。
【００８０】
前述したように、通常、積層束Ｂは図５に示した積層束Ｂ１、Ｂ２のように複数回に分けて載置積層し構成するため、この継ぎ足しをした積層束ＢからＰＳ版Ｐを印刷版露光装置１５０に供給する場合には、操作部１６２からの入力操作によって重送モードに設定する。
【００８１】
重送モードが設定された際の供給では、印刷版露光装置１５０の制御部１６０が、Ｚ＝（ΔＫ）Ｍａｘ−ｍｐ（Ｖｅ−Ｖｓ）／ｔで表される（９）式の解Ｚがプラス（＋）の値となる条件の基で、取り出すＰＳ版Ｐが加速されるようピックアップローラ５２の回転速度（回転角加速度及び加速時間）を制御する。これにより、多重送が発生することなく、重送によってＰＳ版Ｐ及び合紙Ｓが取り出される。
【００８２】
ここで、取り出された合紙Ｓと積層束Ｂに残ったＰＳ版Ｐの印刷面ＰＥとの間（分離箇所）は、静摩擦から動摩擦へと変わり、摩擦抵抗が減少する。そのため、この重送による分離後は、取り出したＰＳ版Ｐ及び合紙Ｓの加速を上記条件の加速時間（ｔ）以上に継続する必要はない。
【００８３】
そこで、上記の条件の基でピックアップローラ５２を回転駆動し、ＰＳ版Ｐに加速度を与え重送によって取り出した後は、制御部１６０がピックアップローラ５２の回転速度が所定の一定速度となるよう制御する。これにより、取り出されたＰＳ版Ｐ及び合紙Ｓは所定の一定速度で搬送される。
【００８４】
また、単送モードが設定された際の供給では、制御部１６０が、ΔＹ＝μＢ（Ｗ＋ｍｐ）−μＥ（Ｗ＋ｍｐ＋ｍｉ）で表される（６）式のΔＹが正の値となるようローラの圧接力を設定し、且つ、Ｚ＝（ΔＹ）−ｍｉ（Ｖｅ−Ｖｓ）／ｔで表される（７）式の解Ｚがマイナス（−）の値となる条件の基で、取り出すＰＳ版Ｐが加速されるようピックアップローラ５２の回転速度を制御する。これにより、重送ではなく、単送によってＰＳ版Ｐが取り出される。
【００８５】
この場合も、取り出されたＰＳ版Ｐのバック面ＰＢと積層束Ｂに残った合紙Ｓとの間（分離箇所）は、静摩擦から動摩擦へと変わり、摩擦抵抗が減少するため、この単送による分離後は、取り出したＰＳ版Ｐの加速を上記条件の加速時間（ｔ）以上に継続する必要はない。
【００８６】
したがって、上記の条件の基でピックアップローラ５２を回転駆動し、ＰＳ版Ｐに加速度を与え単送によって取り出した後は、制御部１６０がピックアップローラ５２の回転速度が所定の一定速度となるよう制御する。これにより、取り出されたＰＳ版Ｐは所定の一定速度で搬送される。
【００８７】
また、この単送モードでは、制御部１６０による上記ピックアップローラ５２の回転制御（ＰＳ版Ｐの加速度制御）に替えて、前述したピックアップローラ５２の圧接力制御を用いることも可能である。単送モードに圧接力制御を利用した場合の供給動作では、制御部１６０が、ΔＹ＝μＢ（Ｗ＋ｍｐ）−μＥ（Ｗ＋ｍｐ＋ｍｉ）で表される（６）式のΔＹがマイナス（−）の値となるようピックアップローラ５２の圧接力を設定し、ピックアップローラ５２を回転駆動させる。これによっても、ＰＳ版Ｐが単送で取り出される。
【００８８】
以上説明したように、本実施形態のＰＳ版の供給方法では、複数回に分けて載置積層し構成した積層束Ｂからの重送によるＰＳ版Ｐの供給では、多重送の発生が抑えられて搬送不良を防止できる。
【００８９】
また、本実施形態では、ＰＳ版供給時の単送／重送の切り替えがピックアップローラ５２の圧接力制御及び回転制御によって可能となり、それらの圧接力及び回転速度を調整するすることによって単送／重送の切り替えを確実に行うことができ、また、単送／重送を切り替えるための複雑な機構等を別途設けることなく簡単に実施することができる。
【図面の簡単な説明】
【００９０】
【図１】本発明の一実施形態に係るＰＳ版供給装置を印刷版露光装置に装着した状態を示す側面図である。
【図２】本発明の一実施形態に係るＰＳ版供給装置のカセット及び枚葉搬送部の枚葉搬送機構を示す斜視図である。
【図３】本発明の一実施形態に係るＰＳ版供給装置に収納された空気介在の無い積層束からＰＳ版及び合紙が取り出される様子を示す説明図である。
【図４】図１の枚葉搬送部における枚葉搬送機構及び合紙分離装置の概略構成を示す正面図である。
【図５】本発明の一実施形態に係るＰＳ版供給装置に収納された空気介在の有る積層束からＰＳ版及び合紙が取り出される様子を示す説明図である。
【図６】従来のＰＳ版供給装置に収納された空気介在の有る積層束からＰＳ版及び合紙が取り出される様子を示す説明図である。
【符号の説明】
【００９１】
５２        ピックアップローラ（ローラ）
１５０        印刷版露光装置
Ｂ        積層束
Ｂ１        積層束（第２積層束）
Ｂ２        積層束（第１積層束）
Ｐ        ＰＳ版（印刷版）
Ｐ４        ＰＳ版（第１印刷版）
Ｐ６        ＰＳ版（第３印刷版／第５印刷版）
Ｐ７        ＰＳ版（第２印刷版／第４印刷版）
ＰＢ        バック面（非印刷面）
ＰＥ        印刷面（印刷面）
Ｓ        合紙（保護シート）
Ｓ５        合紙（第１保護シート）
Ｓ７        合紙（第２保護シート／第３保護シート）
【図１】
2005271505.tif 000006
【図２】
2005271505.tif 000007
【図３】
2005271505.tif 000008
【図４】
2005271505.tif 000009
【図５】
2005271505.tif 000010
【図６】
2005271505.tif 000011